(57)【要約】【課題】表示と再生装置を有するスイッチ構造の提供。【解決手段】本考案の表示と再生装置を有するスイッチ構造は、上殻体と下殻体内部に、回路板に連接される表示と再生装置を設置する。内部構造は弾性体により定位され、且つ、表示と再生装置殻体は両側に支承棒を設置して、殻体を押す時のスイッチ構造の傾斜を防止する。殻体内部に設置された導体、及び、端子が接触、或いは、緩む状態の時、回路の開閉、及び、信号入力等の功能を達成する。異なる設備の使用状況と異なる要求に合わせて、表示と再生装置により動態画像と静態画像を再生し、設備の功能指示、使用状態表示、及び、カスタマイズ化パネルを達成し、設備使用者の作業効率と精確度を向上させる。【選択図】    図１
0003141685.tif 000002
【実用新案登録請求の範囲】
【請求項１】
表示と再生装置を有するスイッチ構造であって、
内部に、表示と再生装置、二支承棒、弾性素子、回路板、導体、端子、透明体、表示と再生装置殻体、及び、弾性体殻体を設置する上殻体と下殻体と、からなり、
前記透明体は、前記上殻体に設置され、前記表示と再生装置が表示、再生する動態、及び、静態画像を観察し、
前記表示と再生装置は、前記表示と再生装置殻体に設置され、動態、及び、静態画像を表示、再生し、
前記弾性体は、前記弾性体殻体に設置され、
前記導体は下殻体に設置され、
前記端子は下殻体に設置され、
前記表示と再生装置殻体は、下方に支承棒素子、及び、導棒を設置し、
二支承棒は、前記表示と再生装置殻体下方の支承棒素子に設置され、
前記回路板は、前記上殻体と下殻体内部に設置され、前記表示と再生装置を連接し、
前記弾性体殻体は前記弾性体を設置し、その特徴は、
前記上殻体が下圧して偏移する時、前記弾性体は圧縮して、前記支承棒は前記支承棒素子によって旋転し、水平分力を相殺し、垂直に円滑に移動することを特徴とする表示と再生装置を有するスイッチ構造。
【請求項２】
前記導体、及び、前記端子は独立素子であることを特徴とする請求項１に記載の表示と再生装置を有するスイッチ構造。
【請求項３】
前記導体、及び、前記端子は、前記表示と再生装置と共に、功能切り換えを実行することを特徴とする請求項１に記載の表示と再生装置を有するスイッチ構造。
【考案の詳細な説明】
【技術分野】
【０００１】
本考案は表示と再生装置を有するスイッチ構造に関するものであって、内部に設置された弾性体と支承棒により、スイッチ構造の定位とスイッチ構造傾斜防止功能を達成し、スイッチ構造に設置された表示と再生装置を合わせて、スイッチ構造は回路の開閉、及び、信号入力等の功能を有する以外に、動態、或いは、静態画像を表示、再生でき、作業効率を向上させることができる表示と再生装置を有するスイッチ構造に関するものである。
【背景技術】
【０００２】
信号を入力するキーボードのキーは、面積が限られたキー上に、キー功能を示す簡易符号、或いは、文字を表示することが必要である。例えば、コンピュータキー、計算機キー、携帯電話、画像再生器パネル、数値制御ツール等、これらの設備は便利であるが、使用する前に、多くの時間を割いて説明書を読むことやキー功能を記憶することが必要とされる。現在、電子製品の発売サイクルは短いので、新たに別のキー操作方式を学習したり、説明書を読むのは、若い人にとっては大きな問題はないが、児童や年長者にとっては困難である。更に、キーは長期の接触により、表面にある文字や符号が消えてしまう。キーの表示部分は製造工程で成型できるが、このような永久表示は使用範囲が制限を受け、各種タイプに幅広く応用することができない。市場には、LEDをキーパネルのスイッチとしているものがあるが、大多数は色の変化にとどまり、はっきりとした表示には程遠い。また、キー構造を押すのは、操作時に、施力方向がキー平面と垂直でなければならず、施力方向が偏移すると、キー構造内部がひっかかり、回路が開閉できず、多くの問題が発生する。よって、スイッチ構造と功能の欠陥を改善する必要がある。  
【考案の開示】
【考案が解決しようとする課題】
【０００３】
本考案は、支承棒による傾斜防止功能、及び、表示と再生装置により、作業効率を向上させることができる示と再生装置を有するスイッチ構造を提供することを目的とする。
【課題を解決するための手段】
【０００４】
本考案の表示と再生装置を有するスイッチ構造は、上殻体と下殻体内部に、表示と再生装置、弾性体、透明体、表示と再生装置殻体、弾性体殻体、導体、及び、端子を設置する。表示と再生装置は、表示と再生装置殻体に設置され、上殻体上端に設置された透明体により、表示と再生装置が表示、再生する動態と静態画像をはっきりと見ることができる。弾性体は表示と再生装置殻体、及び、弾性体殻体の間に設置され、下殻体は回路板、端子、及び、導体を設置し、スイッチ構造に対し下圧する時、導棒が導体を推動し、導体が端子に接触して、回路が導通し、施力を停止する時、導棒は導体に接触しないので、導体が元の位置に復位して、回路を閉鎖した状態にし、スイッチ構造に下圧する時、構造の傾斜を防止するため、表示と再生装置殻体下方に二つの支承棒を設置し、下圧する外力が偏移する時、二支承棒は支承棒素子によって旋転し、水平分力を相殺して、スイッチ構造が回路を円滑に導通、閉鎖させ、スイッチ構造の引っかかりや、誤った連続入力を防止し、作業効率を効果的に向上させる。
【考案の効果】
【０００５】
スイッチ構造の引っかかりや、誤った連続入力を防止し、作業効率を効果的に向上させることができる。
【考案を実施するための最良の形態】
【０００６】
本考案の表示と再生装置を有するスイッチ構造は、図１〜図７で示されるように、主な構造は、上殻体１、下殻体４、表示と再生装置２１、回路板４１、弾性体３２、透明体１１、表示と再生装置殻体２、支承棒２２、弾性体殻体３、導体４２、端子４３、からなる。
【０００７】
図２で示されるように、表示と再生装置２１を表示と再生装置殻体２に設置し、且つ、回路板４１に連接し、支承棒２２は支承棒素子２３に嵌置され、透明体１１は上殻体１に設置され、弾性体３１は表示と再生装置殻体２、及び、弾性体殻体３の間に設置され、導体４２、及び、端子４３は下殻体４に設置される。図３で示されるように、上殻体１が外力の接触がない時、弾性体３１は一般状態であり、且つ、表示と再生装置殻体２、表示と再生装置２１、透明体１１、及び、上殻体１を支承し、表示と再生装置殻体２に連接される導棒２０１は導体に接触しないので、導体４２が端子４３と接触しない。回路はこの時、導通しない状態である。図４で示されるように、上殻体１が下圧される時、弾性体３１は圧縮されて、表示と再生装置殻体２に連接される導棒２０１は下向きに移動する。この時、導棒２０１は導体４２を推動し、導体の湾曲箇所４２１が外に向かって端子４３に接触し、回路が導通状態になる。図５で示されるように、支承棒２２は支承棒素子２３に嵌置され、且つ、支承棒素子２３に従って内側に旋転し、図７で示されるように、下圧の外力が偏移する時、二支承棒２２は、支承棒素子２３によって内側に旋転し、水平分力を相殺し、スイッチ構造が回路を円滑に導通、閉鎖させ、スイッチ構造の引っかかりや、誤った連続入力を防止する。
【０００８】
導体４２、及び、端子４３は独立状態で、表示と再生装置２１は回路が導通していてもいなくても、独立して表示と再生ができる。また、外形が相同、或いは、不相同の複数のスイッチ構造と結合でき、異なる回路設計により、表示と再生功能を相互切り換えすることができる。
【図面の簡単な説明】
【０００９】
【図１】本考案の立体図である。
【図２】本考案の立体システム図である。
【図３】本考案のA-Aの断面図である。
【図４】本考案のB-Bの断面図である。
【図５】本考案の局部断面立体図である。
【図６】本考案のC-Cの断面図である。
【図７】本考案のD-Dの断面図である。
【符号の説明】
【００１０】
１  上殻体
２  導棒
３  弾性体殻体
４  下殻体
１１  透明体
２１  表示と再生装置
２２  支承棒
２３  支承棒素子
３１  弾性体
４１  回路板
４２  導体
４３  端子
２０１  導棒
４２１  導体湾曲箇所
【図１】
0003141685.tif 000003
【図２】
0003141685.tif 000004
【図３】
0003141685.tif 000005
【図４】
0003141685.tif 000006
【図５】
0003141685.tif 000007
【図６】
0003141685.tif 000008
【図７】
0003141685.tif 000009